(57)【要約】【課題】小型でもリストストロークが大きく、耐久性に優れたプレス加工機用シートリフタを提供する。【解決手段】支持台１は、長方形の底面１ａと略三角形状の一対の側板１ｂを有しており、この支持台１の側板の外側に、シートガイド板３の側板３ａが重ね合わされる。支持台１の側板１ｂとシートガイド板３の側板３ａには、第１の支軸２が通され、第１の支軸２の周りで、シートガイド板３が支持台１に対して回転可能に取り付けられている。ねじりバネ４は支持台１上に設置され、第１の支軸２が通され、ねじりバネ４の一方の端から延びた第１の腕部４ａが支持台１の底面１ａに当接し、ねじりバネ４の他方の端から延びた第２の腕部４ｂがシートガイド板３の上板３ｂに当接することで、シートガイド板３に弾力を与えている。シートガイド板３の側板３ａの先端には第２の支軸５の周りに回転可能にローラ６が取り付けられている。【選択図】  図１
0003107674.tif 000002
【実用新案登録請求の範囲】
【請求項１】
支持台と、支持台に対して支軸の周りに回転可能に取り付けられ、シート材をガイドするシートガイド板と、前記支軸が通されたねじりバネと、前記シートガイド板の先端に回転可能に取り付けられたローラとを備え、前記ねじりバネの一方の端から延びた第１の腕部が前記支持台に当接し、前記ねじりバネの他方の端から延びた第２の腕部が前記シートガイド板に当接することを特徴とするプレス加工機用シートリフタ。
【請求項２】
前記ローラの上面部と前記シートガイド板のシートガイド面とが面一であることを特徴とする請求項１に記載したプレス加工機用シートリフタ。
【考案の詳細な説明】
【技術分野】
【０００１】
本考案は、プレス加工機用シートリフタに関し、特にブランキングプレス加工機用のシート材をリフトアップして、シート材が下型切刃と干渉するのを防止するプレス加工機用シートリフタに関する。
【背景技術】
【０００２】
一般に、ブランキングプレス加工機は、ロール状に巻かれたシート材（金属板）がブランキング金型内に送り出され、このシート材が上型と下型の間に入り込んだ状態で連続的にプレスされ、所定形状に打ち抜かれた製品（ブランク材）が下型の下部に落下される（特許文献１を参照）。
【０００３】
しかしながら、シート材がブランキング金型に導入される際に、シート材の先端部に、その自重等によりたわみが発生して、シート材の先端が下型切刃と干渉し、送出エラーが発生し、製品の量産化の妨げとなっていた。
そこで、ブランキング金型内に送り出されたシート材をリフトアップしてシート材が下型切刃と干渉するのを防止するプレス加工機用シートリフタがブランキング金型に設けられている。
【０００４】
図７は従来のプレス加工機用シートリフタを示す図である。このプレス加工機用シートリフタは、支持板５０と一体化され、支持板５０から上方へ湾曲して延びたシートガイド板５１と、シートガイド板５１の先端部に回転可能に取り付けられたローラ５２とを備えている。支持板５０及びシートガイド板５１はバネ鋼板で成形され、シートガイド板５１に弾力を与えている。ブランキング金型内に送り出されたシート材は、シートガイド板５１からローラ５２上に乗り上げることでリフトアップされ、ブランキング金型の所定位置まで送られる。
【特許文献１】特開２００２−１７８０６６号公報
【考案の開示】
【考案が解決しようとする課題】
【０００５】
しかしながら、上述した従来のプレス加工機用シートリフタは、長時間使用による金属疲労によりシートガイド板５１の破損が多発するという問題点を有していた。また、シートガイド板５１の上下移動のリフトストロークが小さいという問題点も有していた。さらに、シートガイド板５１のシートガイド面よりローラ５２の上面部が高いため、シート材がローラ５２に当たる際の衝撃によりシート材が破損するという問題点も有していた。
【０００６】
一方、シートガイド板の下にコイルスプリングを取り付けることで、シートガイド板に付勢を与えたプレス加工機用シートリフタも知られているが、シートガイド板は支軸の周りに円運動するのに対して、コイルスプリングは上下運動をしようとするため、コイルスプリングへの負担が大きく、コイルスプリングの破損を招いていた。また、シートガイド板の支軸への負担も大きく、支軸の破損も生じやすかった。
【課題を解決するための手段】
【０００７】
本考案のプレス加工機用シートリフタは、上述した課題に鑑みてなされたものであり、支持台と、支持台に対して支軸の周りに回転可能に取り付けられ、シート材をガイドするシートガイド板と、前記支軸が通されたねじりバネと、前記シートガイド板の先端に回転可能に取り付けられたローラとを備え、前記ねじりバネの一方の端から延びた第１の腕部が前記支持台に当接し、前記ねじりバネの他方の端から延びた第２の腕部が前記シートガイド板に当接することを特徴とするものである。
【０００８】
また、上記構成に加えて、前記ローラの上面部と前記シートガイド板のシートガイド面とが面一であることを特徴とするものである。
【考案の効果】
【０００９】
本考案によれば、小型でもリストストロークが大きく、しかも耐久性に優れたプレス加工機用シートリフタを提供することができる。また、ローラの上面部とシートガイド板のシートガイド面を面一にすることで、シート材がローラに接触する際のシート材の破損を防止することができる。
【考案を実施するための最良の形態】
【００１０】
以下、本考案のプレス加工機用シートリフタ１０について詳しく説明する。図１はこのプレス加工機用シートリフタ１０の上板図、図２はその正面図、図３はその斜視図である。
【００１１】
支持台１は、長方形の底板１ａと底板１ａから立設された略三角形状の一対の側板１ｂを有しており、この支持台１の側板１ａの外側に、断面略コの字状の形状を有するシートガイド板３の側板３ａが重ね合わされる。支持台１の側板１ｂとシートガイド板３の側板３ａには、支軸２が通され、支軸２の周りで、シートガイド板３が支持台１に対して回転可能に取り付けられている。
【００１２】
ねじりバネ４は支持台１上に設置され、前記支軸２が通され、このねじりバネ４の一方の端から延びた第１の腕部４ａが支持台１の底板１ａに当接し、ねじりバネ４の他方の端から延びた第２の腕部４ｂがシートガイド板３の上板３ｂの裏面に当接することで、シートガイド板３に弾力（付勢）を与えている。
【００１３】
また、シートガイド板３の側板３ａの先端にはローラ支軸５の周りに回転可能にローラ６が取り付けられている。ローラ６の上面部６ａとシートガイド板３の上板３ｂの表面であるシートガイド面３ｃを面一にすることで、シート材がローラ６に接触する際のシート材接触面の擦り傷を防止しながら円滑にシート材を送ることができる。
【００１４】
また、シートガイド板３の上板３ｂには２つのボルト貫通孔７が形成され、支持台１の底面１ａのこれらと対応する位置にも２つのボルト貫通孔８が形成され、ボルトがこれらのボルト貫通孔７，８を通されることで、支持台１がプレス加工機の金型の所定位置に取り付け可能に構成されている。
【００１５】
上述のプレス加工機用シートリフタ１０によれば、従来例の如くバネ鋼板やコイルスプリングを用いたものに比して、小型であってもリストストロークを大きく確保でき、しかも耐久性に優れている。さらに、支持台１やシートガイド板３は板金加工で製作できるのでコストも低減できる。
【００１６】
次に、上述のプレス加工機用シートリフタ１０の使用態様について説明する。図４に示す如く、ロール状に巻かれたシート材２０は、プレス加工機の下型切刃２１を備えた下型シュー２２上に向けて送り出される。下型切刃２１の手前にはプレス加工機用シートリフタ１０が取り付けられている。プレス加工機用シートリフタ１０はシート材２０の寸法に応じて複数個が並設される。
【００１７】
図５は、プレス加工の工程を説明する図であり、まず、図５（ａ）に示す如く、シート材２０はプレス加工機用シートリフタ１０によってリフトアップされながら下型シュー２２上に送られる。即ち、シート材２０はプレス加工機用シートリフタ１０のシートガイド板３のシートガイド面３ｃに乗り上げるようにしてガイドされ、シートガイド板３の先端に取り付けられたローラ６の回転に伴って前方へ送り出される。
【００１８】
下型シュー２２の上方には、上下可動の上型ベース２３が配置され、上型ベース２３にコイルスプリング２４を介してストリッパ２５が取り付けられ、さらに下型切刃２１と対応する位置に、上下可動の上刃２６が取り付けられている。ここで、もしプレス加工機用シートリフタ１０が無いと、図６に示す如く、シート材２０の先端が自重によりたわみ、下型切刃と干渉して、送出エラーが発生してしまう。
【００１９】
次に、図５（ｂ）に如く、上型ベース２３が下動し、コイルスプリング２４で付勢されたストリッパ２５によって押さえられることで、シート材２０が平坦に維持される。そして、図５（ｃ）に示す如く、上刃２６が下動し、下型切刃２１と噛み合うことでシート材２０は所定形状に打ち抜かれ、打ち抜かれた製品（ブランク材）は下型シュー２１の下部に落下される。
【図面の簡単な説明】
【００２０】
【図１】本考案のプレス加工機用シートリフタの上面図である。
【図２】本考案のプレス加工機用シートリフタの正面図である。
【図３】本考案のプレス加工機用シートリフタの斜視図である。
【図４】本考案のプレス加工機用シートリフタの使用態様を説明するプレス加工機の斜視図である。
【図５】本考案のプレス加工機用シートリフタの使用態様を説明するプレス加工機の断面図である。
【図６】プレス加工機用シートリフタを使用していない場合のプレス加工機の断面図である。
【図７】従来例の金型用シートリフタの正面図である。
【符号の説明】
【００２１】
１  支持台              ２  支軸                ３  シートガイド板
４  ねじりバネ          ５  ローラ支軸          ６  ローラ
７，８  ボルト貫通孔    ２０  シート材          ２１  下型切刃
２２  下型シュー        ２３  上型ベース        ２４  コイルスプリング
２５  ストリッパ        ２６  上刃
【図１】
0003107674.tif 000003
【図２】
0003107674.tif 000004
【図３】
0003107674.tif 000005
【図４】
0003107674.tif 000006
【図５】
0003107674.tif 000007
【図６】
0003107674.tif 000008
【図７】
0003107674.tif 000009